(57)【要約】【課題】発光素子の点滅による美観を楽しむことができる玩具及び装飾品等の発光物品を提供する。【解決手段】熱可塑性エラストマー、ゴム又は熱可塑性樹脂を用いて底壁１１と、側壁１２とが形成された基部成形品１と、表面に意匠面２ａが形成された意匠部成形品２と、スイッチ３１（押しボタン型スイッチ等）、発光素子３２（ＬＥＤ等）、電池３３（ボタン電池等）及び制御回路３４を具備し、基部成形品１と意匠部成形品２との間に内装された発光ユニット３と、を備え、意匠部成形品２の意匠面２ａとは反対側の面が基部成形品１の側壁１２に固定されており、外部から意匠部成形品２の意匠面２ａと基部成形品１の底壁１１との間が押圧されたとき、発光ユニット３のスイッチ３１が作動し、制御回路３４により発光素子３１の発光及び非発光の状態が制御される。【選択図】図１
0003177411.tif 000002
【実用新案登録請求の範囲】
【請求項１】
熱可塑性エラストマー、ゴム又は熱可塑性樹脂を用いて、底壁と、前記底壁の全周縁部に立設された側壁とが形成された基部成形品と、
熱可塑性エラストマー、ゴム又は熱可塑性樹脂を用いてその表面に意匠面が形成された意匠部成形品と、
スイッチ、発光素子、電池及び制御回路を具備し、前記基部成形品と前記意匠部成形品との間に内装された発光ユニットと、を備える発光物品であって、
前記意匠部成形品の意匠面とは反対側の面が前記基部成形品の前記側壁に固定されており、
前記基部成形品及び前記意匠部成形品のうちの少なくとも前記意匠部成形品は透光性を有し、
外部から前記意匠部成形品の前記意匠面と前記基部成形品の前記底壁との間が押圧されたとき、前記発光ユニットの前記スイッチが作動し、前記制御回路により前記発光素子の発光及び非発光の状態が制御されることを特徴とする発光物品。
【請求項２】
前記スイッチは、前記基部成形品の前記底壁の内面側に配置されている押しボタン型スイッチである請求項１に記載の発光物品。
【請求項３】
前記スイッチは、前記意匠部成形品の前記意匠面を構成する成形壁の内面側に配置されている押しボタン型スイッチである請求項１に記載の発光物品。
【請求項４】
前記基部成形品の横断面が円形であり、前記意匠部成形品の前記意匠面とは反対側の面に設けられた凸状部が前記基部成形品の前記側壁に固定されている請求項１乃至３のうちのいずれか１項に記載の発光物品。
【請求項５】
前記凸状部は、横断面が円形の環状体である請求項４に記載の発光物品。
【請求項６】
前記基部成形品の前記側壁の内径と、前記環状体の外径とが略同じであり、前記側壁と、前記環状体とが嵌め合わされて固定されている請求項５に記載の発光物品。
【請求項７】
前記意匠部成形品の前記意匠面とは反対側の面と、前記基部成形品の前記側壁とが、水密に接着又は熱融着されている請求項１乃至６のうちのいずれか１項に記載の発光物品。
【請求項８】
前記発光素子として複数のＬＥＤが備えられており、前記制御回路により、前記複数のＬＥＤが一斉に又は各別に発光又は非発光するように制御されている請求項１乃至７のうちのいずれか１項に記載の発光物品。
【請求項９】
前記複数のＬＥＤの発光色が異なっている請求項８に記載の発光物品。
【請求項１０】
玩具又は装飾品として用いられる請求項１乃至９のうちのいずれか１項に記載の発光物品。
【考案の詳細な説明】
【技術分野】
【０００１】
本考案は、発光物品に関する。更に詳しくは、本考案は、魚類、亀、昆虫、花、乗物等を模した透光性を有する成形品内に発光ユニットが内装され、種々の意匠とともに、発光素子の点滅による美観を楽しむことができる玩具及び装飾品等の発光物品に関する。
【背景技術】
【０００２】
従来、発光素子の点滅による美観を楽しむ玩具等が知られており、入浴時に、魚類等を模した透光性を有する意匠物品を浴湯に浮かべて子供が遊ぶ玩具が提供されている。例えば、本体内に収容されたプラスチック容器内にランプを接続した光発振回路を備える基板が配設され、基板に接合されたリード線の他端を本体外側に接合して接点を形成し、水面を浮遊させたときに、一対の接点が水に接触して導通され、光が点滅する水物玩具が知られている（例えば、特許文献１参照。）。
【先行技術文献】
【特許文献】
【０００３】
【特許文献１】特開２０００−１４０４５４
【考案の概要】
【考案が解決しようとする課題】
【０００４】
しかし、特許文献１に記載された水物玩具は、水に浮かべたときに接点間が導通し、光の点滅を楽しむことができるものであり、風呂等のみで用いることができるものである。一方、部屋でも、外出先等でも光を点滅させ、楽しむことができる玩具であれば、より多くの場所、場面で利用することができる。また、水を必須としないものであれば、ペンダント、指輪等の装身具などの装飾品としても用いることができ、必要に応じて光を点滅させ楽しむことができる。また、特許文献１に記載された水物玩具では、意匠体が一体の成形体となっており、意匠が異なるときは意匠体全体を新たに成形する必要がある。
【０００５】
本考案は上述の従来の状況に鑑みてなされたものであり、魚類、亀、昆虫、花、乗物等を模した透光性を有する成形品内に発光ユニットが内装され、共通の基部に種々の意匠を有する成形体を組み合わせることができるとともに、入浴時等のみでなく、何時でも何処でも、発光素子の点滅による美観を楽しむことができる玩具及び装飾品等の発光物品を提供することを目的とする。
【課題を解決するための手段】
【０００６】
本考案は以下のとおりである。
１．熱可塑性エラストマー、ゴム又は熱可塑性樹脂を用いて、底壁と、前記底壁の全周縁部に立設された側壁とが形成された基部成形品と、
熱可塑性エラストマー、ゴム又は熱可塑性樹脂を用いてその表面に意匠面が形成された意匠部成形品と、
スイッチ、発光素子、電池及び制御回路を具備し、前記基部成形品と前記意匠部成形品との間に内装された発光ユニットと、を備える発光物品であって、
前記意匠部成形品の意匠面とは反対側の面が前記基部成形品の前記側壁に固定されており、
前記基部成形品及び前記意匠部成形品のうちの少なくとも前記意匠部成形品は透光性を有し、
外部から前記意匠部成形品の前記意匠面と前記基部成形品の前記底壁との間が押圧されたとき、前記発光ユニットの前記スイッチが作動し、前記制御回路により前記発光素子の発光及び非発光の状態が制御されることを特徴とする発光物品。
２．前記スイッチは、前記基部成形品の前記底壁の内面側に配置されている押しボタン型スイッチである前記１．に記載の発光物品。
３．前記スイッチは、前記意匠部成形品の前記意匠面を構成する成形壁の内面側に配置されている押しボタン型スイッチである前記１．に記載の発光物品。
４．前記基部成形品の横断面が円形であり、前記意匠部成形品の前記意匠面とは反対側の面に設けられた凸状部が前記基部成形品の前記側壁に固定されている前記１．乃至３．のうちのいずれか１項に記載の発光物品。
５．前記凸状部は、横断面が円形の環状体である前記４．に記載の発光物品。
６．前記基部成形品の前記側壁の内径と、前記環状体の外径とが略同じであり、前記側壁と、前記環状体とが嵌め合わされている前記５．に記載の発光物品。
７．前記意匠部成形品の前記意匠面とは反対側の面と、前記側壁とが、水密に接着又は熱融着されている前記１．乃至６．のうちのいずれか１項に記載の発光物品。
８．前記発光素子として複数のＬＥＤが備えられており、前記制御回路により、前記複数のＬＥＤが一斉に又は各別に発光又は非発光するように制御されている前記１．乃至７．のうちのいずれか１項に記載の発光物品。
９．前記複数のＬＥＤの発光色が異なっている前記８．に記載の発光物品。
１０．玩具又は装飾品として用いられる前記１．乃至９．のうちのいずれか１項に記載の発光物品。
【考案の効果】
【０００７】
本考案の発光物品によれば、基部成形品と意匠部成形品とが別体として作製されるため、同一の形状、寸法の基部成形品に、各種の意匠部成形品を固定することができるとともに、発光ユニットを容易に内装させることができる。また、意匠部成形品の意匠面と基部成形品の底壁との間が押圧されたとき、発光ユニットのスイッチが作動し、発光素子の発光、非発光が制御される。そのため、極めて容易に発光、非発光を制御することができ、何時でも何処でも、玩具及び装飾品等として利用し、楽しむことができる。
また、スイッチが、基部成形品の底壁の内面側に配置されている押しボタン型スイッチである場合は、スイッチを極めて容易に作動させることができ、発光素子の発光、非発光が制御し易く、種々の発光パターンを好みの間隔で楽しむことができ、子供、大人を問わず、玩具及びペンダント、指輪等の装身具などとして利用することができる。
更に、スイッチが、意匠部成形品の意匠面を構成する成形壁の内面側に配置されている押しボタン型スイッチである場合は、特に亀、花、乗用車等のように、意匠面の中央部が比較的平板な意匠部成形品であるときに、スイッチを極めて容易に作動させることができ、上述のように、スイッチが、基部成形品の底壁の内面側に配置されているときと同様の作用効果が奏される。
更に、基部成形品の横断面が円形であり、意匠部成形品の意匠面とは反対側の面に設けられた凸状部が基部成形品の側壁に固定されている場合は、意匠部成形品を基部成形品に固定し易く、発光ユニットの内装が容易であるとともに、例えば、魚類、亀、花、昆虫、乗物等の意匠を有する各種の発光物品を容易に形成することができる。
また、凸状部が、横断面が円形の環状体である場合は、横断面が円形である基部成形品の側壁と嵌め合わせ易く、基部成形品と意匠部成形品とを容易に一体に固定することができる。
更に、基部成形品の側壁の内径と、環状体の外径とが略同じであり、側壁と、環状体とが嵌め合わされて固定されている場合は、基部成形品と意匠部成形品とを、より容易に、且つ確実に一体に固定することができる。
また、意匠部成形品の意匠面とは反対側の面と、前記基部成形品の側壁とが、水密に接着又は熱融着されている場合は、特に幼児等が浴湯等に浮かべて、意匠を楽しむとともに、発光、非発光させ、入浴時の玩具として楽しむことができる。
更に、発光素子として複数のＬＥＤが備えられており、制御回路により、複数のＬＥＤが一斉に又は各別に発光又は非発光するように制御されている場合は、種々の意匠とともに、輝度の高いＬＥＤの点滅により、特に玩具として楽しむことができる。
また、複数のＬＥＤの発光色が異なっている場合は、ＬＥＤの点滅、変色によって、特に幼児等が興味を持ち、より楽しむことができる玩具とすることができる。
更に、玩具又は装飾品として用いられる場合は、子供の玩具としてばかりでなく、ペンダント、指輪等の装身具の他、装飾品として、例えば、部屋の壁等に吊り下げて用いることもできる。
【図面の簡単な説明】
【０００８】
【図１】本考案の発光物品の基部成形品、意匠部成形品、及び発光ユニットを説明するための模式図である。
【図２】発光ユニットを、回路基板と、スイッチ固定用成形品に固定された導体部品側とに分離して、発光素子等が配置された側からみた斜視図である。
【図３】発光ユニットが図１とは逆向きに配置された発光物品を説明するための模式図である。
【図４】亀を模した意匠部成形品と基部成形品とが接合された発光物品を斜め上方からみた斜視図である。
【図５】図４の発光物品を、基部成形品の側からみた斜視図である。
【考案を実施するための形態】
【０００９】
以下、本考案を図も参照しながら詳しく説明する。
本考案の発光物品１００は、熱可塑性エラストマー、ゴム又は熱可塑性樹脂を用いて、底壁１１、底壁１１の全周縁部に立設された側壁１２とが形成された基部成形品１と、熱可塑性エラストマー、ゴム又は熱可塑性樹脂を用いてその表面に意匠面２ａが形成された意匠部成形品２と、を備える。また、スイッチ３１、発光素子３２、電池３３及び制御回路３４を具備し、基部成形品１と意匠部成形品２との間に内装された発光ユニット３を備える（図１〜３参照）。
【００１０】
更に、意匠部成形品２の意匠面２ａとは反対側の面２２ａは、基部成形品１の側壁１２に固定されており、基部成形品１及び意匠部成形品２のうちの少なくとも意匠部成形品２は透光性を有する。また、外部から意匠部成形品２の意匠面２ａと基部成形品１の底壁１１との間が押圧されたとき、発光ユニット３のスイッチ３１が作動し、制御回路３４により発光素子３２の発光及び非発光の状態が制御される。
【００１１】
基部成形品１及び意匠部成形品２は、同じ又は異なる熱可塑性エラストマー、ゴム又は熱可塑性樹脂を用いて成形される。使用する熱可塑性エラストマーは特に限定されず、各種の熱可塑性エラストマーを用いることができる。この熱可塑性エラストマーとしては、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー等が挙げられる。これらのうちではスチレン系熱可塑性エラストマー及びオレフィン系熱可塑性エラストマー、特にスチレン系熱可塑性エラストマーが用いられることが多い。
【００１２】
スチレン系熱可塑性エラストマーとしては、水添スチレン／ブタジエンランダム共重合体、スチレン／ブタジエン／スチレンブロック共重合体、スチレン／イソプレン／スチレンブロック共重合体、スチレン／エチレン／ブチレン／スチレンブロック共重合体、スチレン／エチレン／プロピレン／スチレンブロック共重合体等が挙げられる。これらのうちでは水添スチレン／ブタジエンランダム共重合体が多用される。
熱可塑性エラストマーは１種のみ用いてもよく。２種以上を併用してもよい。
【００１３】
また、ゴムも特に限定されず、エチレン／プロピピレン共重合ゴム、エチレン／プロピピレン／ジエン共重合ゴム、ポリイソプレンゴム等の各種のゴムを用いることができる。ゴムを用いる場合、未架橋品を成形した後、加熱する等の常法によって架橋させ、基部成形品１及び意匠部成形品２を成形することができる。更に、熱可塑性樹脂も特に限定されず、ポリオレフィン樹脂、ポリアミド樹脂、ポリエステル樹脂等の汎用の樹脂を用いることができる。また、樹脂はエラストマー等と比べて硬度が高いため、軟質樹脂又は軟質組成の樹脂を用いることが好ましいが、基部成形品１及び意匠部成形品２のうちの一方がエラストマー、ゴム又は軟質樹脂等であるときは、他方は硬度の高い樹脂であってもよい。
【００１４】
意匠部成形品２の成形に用いる熱可塑性エラストマー、ゴム又は熱可塑性樹脂には、魚類、亀（図４、５参照）、花、昆虫、乗物等を模した意匠を有する各々の意匠部成形品２を着色するための所定量の染料及び／又は顔料を配合することができる。意匠部成形品２の色調は特に限定されず、実物に近似の色調でもよいが、特に玩具である場合、桃色、緑色、黄色等の明色に着色することが好ましい。また、染料及び／又は顔料は配合せず、熱可塑性エラストマー等の色調のまま、即ち、無着色であってもよい。更に、基部成形品１及び意匠部成形品２のうち少なくとも意匠部成形品２は透光性を有している。一方、基部成形品１は、透光性を有していることが好ましいが、必ずしも透光性を有している必要はない。
【００１５】
基部成形品１が透光性を有している場合、その色調及び透光性の程度は、意匠部成形品２と略同じでもよく、異なっていてもよいが、略同じであることが好ましい。その場合、基部成形品１及び意匠部成形品２を、同じ組成の熱可塑性エラストマー原料等を用いて成形することができるため好ましい。一方、所要量のカーボンブラック、炭酸マグネシウム、タルク等を配合した熱可塑性エラストマー原料等を用いることで、黒色、白色等の色調の透光性を殆ど有さない基部成形品１とすることもできる。
【００１６】
また、熱可塑性エラストマー、ゴム及び熱可塑性樹脂原料には、着色のための染料、顔料等の他、各種の添加剤を配合することができる。このような添加剤としては、例えば、滑剤、老化防止剤、熱安定剤、紫外線吸収剤、光安定剤等が挙げられる。更に、熱可塑性エラストマー原料等には、基部成形品１及び意匠部成形品２のそれぞれの硬度を調整するため、通常、可塑剤、シリコーンオイル等の油類、及び低分子量ポリマーなどが配合される。可塑剤及び油類等の配合量は特に限定されず、発光物品１００を玩具、装身具等の装飾品などとして用いるときの、感触の良否及びスイッチ３１の操作のし易さ等によって調整することが好ましい。
【００１７】
基部成形品１は、底壁１１と、底壁１１の全周縁部に立設された側壁１２とを有し、側壁１２の底壁１１とは反対側の端面は開口部１３となっている。底壁１１の形状、即ち、基部成形品１の横断面の形状は特に限定されず、円形、楕円形、及び三角形、四角形、六角形等の多角形とすることができる。この底壁１１の形状、即ち、基部成形品１の横断面の形状は、意匠部成形品２の意匠、及び玩具、装飾品等の用途などに相応しい形状であることが好ましいが、意匠及び用途によらず、違和感のない良好な印象を与える円形又は楕円形であることが好ましい。また、側壁１２は底壁１１に立設され、通常、底壁１１に垂設され、基部成形品１は、底壁１１と同形状の開口部１３を有する容器状の成形品であることが好ましい（図１、３参照）。このような形状の基部成形品１であれば、発光ユニット３を容易に内装することができる。
【００１８】
意匠部成形品２は、その表面に意匠面２ａが形成されている。意匠面２ａにより表される意匠は、前述のように、イルカ、マンボウ等の魚類、亀、カブト虫、クワガタ虫等の昆虫、花、乗用車、バス、列車等の乗物などを模した意匠の他、各種の意匠とすることができる。例えば、人、人形、動物、樹木、建造物等を模した意匠とすることもできる。また、意匠部成形品２は、意匠面２ａとは反対側の面が基部成形品１の側壁１２に固定されている。意匠部成形品２の、基部成形品１への固定部の形状は特に限定されないが、基部成形品１の横断面が円形であり、意匠部成形品２の意匠面２ａとは反対側に設けられた凸状部２１が基部成形品１の側壁１２に固定されていることが好ましい。
【００１９】
上述のように、意匠部成形品２の意匠面２ａとは反対側に凸状部２１が設けられる場合、凸状部２１の横断面も円形であることが好ましい。また、意匠部成形品２に設けられた凸状部２１は、横断面が円形の環状体であることが好ましい。更に、横断面が円形である基部成形品１の側壁１２の内径と、凸状部２１として設けられた環状体の外径とが略同じであることがより好ましい（図１、３参照）。このような形態であれば、基部成形品１と、意匠部成形品２の凸状部２１として設けられた環状体と、を嵌め合わせることにより、基部成形品１と意匠部成形品２とを、より容易に、且つ強固に一体に固定することができる。
【００２０】
基部成形品１と意匠部成形品２との固定方法は特に限定されない。固定させる部位を、熱可塑性エラストマー等の種類に応じた組成の接着剤により接合して固定してもよいし、熱融着させてもよい。熱融着の場合、接合させ、固定させる部位の面積が極めて小さいため、超音波溶着、レーザー光照射等の方法により固定することが好ましい。このような方法であれば、接合させるための微小部位のみを加熱し、溶融させて、固定することができる。そのため、バリの発生が殆どなく、固定箇所の外観が低下することがない美観に優れた発光物品１００とすることができる。
【００２１】
また、用途によっては、例えば、玩具であっても浴湯等での使用ではないとき、及び装身具等の装飾品であるときは、接着したり、熱融着したりせず、基部成形品１と意匠部成形品２とを固定してもよい。特に、前述のように、基部成形品１の側壁１２と、意匠部成形品２の凸状部２１として設けられた環状体と、を嵌め合わせたときは、十分強固に固定することができる。この場合、基部成形品１と意匠部成形品２との嵌め合わせ、及び取り外しが容易にできるため、消耗した電池を未使用の電池と交換することができるため好ましい。更に、意匠部成形品２が傷、汚れ等により透光性が低下し、美観が低下したときは、基部成形品１はそのままで、意匠部成形品２のみを未使用品と取り替えることもできる。
【００２２】
基部成形品１と意匠部成形品２との間には、発光ユニット３が内装されている。この場合、上述のように、横断面が円形である基部成形品１と、意匠部成形品２の凸状部２１として設けられた環状体と、が嵌め合わされてなる形態であれば、発光物品１００の内部に発光ユニット３を内装するための十分な大きさの空間が形成され、発光ユニット３を容易に内装させることができるため好ましい（図１、３参照）。
【００２３】
発光ユニット３は、スイッチ３１、発光素子３２、電池３３及び制御回路３４を具備する（図２参照）。発光ユニット３が具備するスイッチ３１、発光素子３２及び電池３３は特に限定されないが、発光物品１００に内装させるためには、操作性に優れ、且つ小型のスイッチ３１、消費電力が少なく、輝度が高く、且つ小型の発光素子３２、及び小型の電池３３であることが好ましい。そのため、スイッチ３１としては押しボタン型スイッチ、発光素子３２としてはＬＥＤ、電池３３としてはボタン型電池を用いることが好ましい。
【００２４】
ＬＥＤは１灯、１色のみでもよいが、赤色、青色及び緑色のうちの少なくとも２色のＬＥＤをそれぞれ少なくとも１灯用いることが好ましい。例えば、赤色、青色及び緑色のＬＥＤを各１灯、計３灯のＬＥＤを用いることができる（図２参照）。また、ボタン型電池としては、リチウム電池、アルカリマンガン電池、酸化銀電池、空気亜鉛電池等が挙げられるが、初期起電力の高いリチウム電池が好ましい。
【００２５】
更に、ボタン電池は１個のみを用いてもよいが、ＬＥＤの輝度を高くするため、複数個、例えば、２〜３個のボタン電池を直列に接続して用いてもよい。この場合、電池３３を、縦方向、即ち、基部成形品１と意匠部成形品２とが固定される方向に積層させて接続すれば、発光ユニット３全体をより纏まった形態とすることができるため好ましい（図２参照）。
【００２６】
また、発光ユニット３が具備する、スイッチ３１、発光素子３２、電池３３及び制御回路３４の配置は特に限定されないが、スイッチ３１のオン・オフが容易であること、発光素子３２が視認し易いこと、及び発光ユニット３全体を纏まった形態とすること、等の観点で配置させることが好ましい。例えば、平面形状が方形の回路基板３５の一面側の中央部に前述のように複数の電池３３を配置させ、回路基板３５の４隅に１〜４個のＬＥＤを配置させることができる。更に、スイッチ３１は、回路基板３５の他面側の中央部、即ち、電池３３に対向する位置に２個の離間した導体部品を配置させ、これらの導体接点に対向する位置に導体部品を配置させ、導体部品を導体接点に接触させ、２個の導体接点間を導通させる形態とすることができる。また、制御回路３４は、回路基板３５の他面側の４隅のうち、一面側に発光素子３２が配置されていない隅に絶縁性樹脂等によって固定することができる。尚、４隅にＬＥＤが配置されているときは、回路基板３５の他面側の適宜の位置に固定することができる。
【００２７】
更に、発光素子３２の発光及び非発光の状態は、外部から意匠部成形品２の意匠面２ａと基部成形品１の底壁１１との間が押圧されたとき、発光ユニット３のスイッチ３１がオンとなり、制御回路３４により制御される。発光及び非発光の状態をどのように制御するかは、制御回路３４によるが、例えば、ＬＥＤの発光、非発光の間隔を、短い間隔から長い間隔へと変化させる、又は長い間隔から短い間隔へと変化させる制御が挙げられる。更に、発光色の異なる複数個のＬＥＤを使用し、これらを順次発光させる制御もある。この場合、併せて発光させる間隔を短い間隔から長い間隔へ、又は長い間隔から短い間隔へと変化させて制御することもできる。
【００２８】
上述のように、外部から意匠部成形品２の意匠面２ａと基部成形品１の底壁１１との間が押圧されたとき、発光ユニット３のスイッチ３１が作動するようにするためには、スイッチ３１は、基部成形品１の底壁１１の内面側に配置されていることが好ましい（図１参照）。基部成形品１の底壁１１は平板であるため、特に押しボタン型スイッチを用いることで、押圧によって、より確実にスイッチ３１を作動させることができる。
【００２９】
また、スイッチ３１は、特に亀、花、乗用車、バス、列車等の、意匠面２ａの中央部が比較的平板な意匠部成形品２であるときは、意匠部成形品２の意匠面２ａを構成する成形壁２２の内面側２２ａに配置されていてもよい（図３参照）。この場合も、押圧によって、より確実にスイッチ３１を作動させることができる。
【実施例】
【００３０】
以下、実施例により本考案を具体的に説明する。
熱可塑性エラストマーとして、赤色の顔料が配合された水添スチレン／ブタジエンランダム共重合を使用し、亀を模した意匠部成形品２と、横断面が円形の基部成形品１とを射出成形法により成形した（図４、５参照）。基部成形品１は、横断面が円形であり、外径２０ｍｍ、内径１８ｍｍ（成形壁の厚さは１ｍｍとなる。）、高さ４ｍｍであり、底壁１１は、側壁１２の厚さと略同じ厚さとした。
【００３１】
また、意匠部成形品２は、頭部及び尾を含めた全長が３０ｍｍ、前ヒレを含めた全幅が２５ｍｍであった。また、意匠部成形品２の意匠面２ａとは反対側の面、即ち、亀の腹部側の中央部には、外径略１８ｍｍ、内径略１６ｍｍ（成形壁の厚さは略１ｍｍとなる。）、高さ３ｍｍの横断面が円形の環状体からなる凸状部２１を設けた（図１，３参照）。
【００３２】
更に、発光ユニット３が備えるスイッチ３１としては、導電性ゴムを用いてなる直径５ｍｍの弾性を有する導体部品と、回路基板３５の裏面側に分離されて配された２個の導体接点とにより構成される押しボタン型スイッチを用いた。上述の導体部品は、水添スチレン／ブタジエンランダム共重合を用いてなるスイッチ固定用成形品３１ａの中央部の凹部に嵌め込まれ、スイッチ固定用成形品３１ａは、２本の固定用爪Ｎを、回路基板３５に設けられた固定用孔３５ａに挿通させて回路基板３５に固定した。このようにして、導体部品と２個の導体接点とが、間隔をあけて相対するようにした。これにより、通常は上述の２個の導体接点間が非導通（オフ）であり、押圧されたときに導体部品と２個の導体接点とが接触して２個の導体接点間が導通（オン）するスイッチ３１が構成されている。この各導体接点は制御回路３４に接続されており、制御回路３４は、スイッチ３１のオン・オフによって、発光素子３２を発光又は非発光としたり、発光状態を切り替えたりすることができる。
【００３３】
また、発光素子３２としては、赤色、青色及び緑色のＬＥＤを各１灯、計３灯のＬＥＤを、回路基板３５の４隅のうちの３箇所に配置させた。更に、ＬＥＤが配置されていない残りの１隅の回路基板３５の裏面に制御回路３４となるＩＣを黒色の絶縁性樹脂により固定した。制御回路３４としては、スイッチ３１を押圧し、作動させる毎に、３色のＬＥＤの非発光、及び発光間隔が短時間から長時間に３段階に変化した後、３色のＬＥＤが順次発光と非発光とを繰り返すように制御される回路を用いた。
【００３４】
その後、上述の基部成形品１の底壁１１の略中央部に、発光ユニット３をスイッチ３１が底壁１１側となるようにして載置し、次いで、基部成形品１の側壁１２の内周面と、意匠部成形品２の凸状部２１の外周面とに接着剤を塗布し、乾燥させて一体に接合させて固定した。
【００３５】
上述のようにして作製した発光物品１００を、意匠部成形品２の意匠面２ａと、基部成形品１の底壁１１とを、人差し指と親指とで挟んで押圧を繰り返したところ、非発光と、発光間隔が短時間から長時間に３段階に変化した後、３色のＬＥＤが順次発光と非発光とが繰り返される制御がなされることが確認された。
【産業上の利用可能性】
【００３６】
本考案は、発光素子の発光、非発光等による美観を楽しむ各種の用途において利用することができる。例えば、浴湯に浮かべて幼児等が用いる玩具として用いることができる。また、意匠部成形品の周縁部に孔を設け、この孔に紐を通してペンダントとして用いることができ、基部成形品の底壁に金属製、樹脂性等のリングを取り付け、指輪として用いることもできる。このように、本考案の発光物品は、各種の装身具等の装飾品などとして使用することもできる。
【符号の説明】
【００３７】
１００；発光物品、１；基部成形品、１１；底壁、１１ａ；底壁の内面側、１２；側壁、１３；開口部、２；意匠部成形品、２１；凸状部、２ａ；意匠面、２２；意匠面を構成する成形壁、２２ａ；意匠面を構成する成形壁の内面側、３；発光ユニット、３１；スイッチ（押しボタン型スイッチ）、３１ａ；スイッチ固定用成形品、Ｎ；固定用爪、３２；発光素子（ＬＥＤ）、３３；電池（ボタン型電池）、３３ａ；電池接続及び固定用金属部材、３４；制御回路、３５；回路基板、３５ａ；固定用孔。
【図１】
0003177411.tif 000003
【図２】
0003177411.tif 000004
【図３】
0003177411.tif 000005
【図４】
0003177411.tif 000006
【図５】
0003177411.tif 000007